(57)【要約】【課題】  ファクシミリ装置に接続された外付け電話機がオフフック状態にあっても、予約送信が可能なファクシミリ装置を提供する。【解決手段】  複合機１のユーザは、予め表示部４３を操作し、第１の外付け電話機８ａ及び第２の外付け電話機８ｂが接続されているポートに、それぞれ予約送信または手動送信のいずれかのモードを設定し、モード記憶部７４０に記憶させる。そして、ファクシミリ送信を行うために、複合機１のテンキー４１が押下げられると、制御部１０はフック判定部７３０ａ、７３０ｂに問い合わせ、外付け電話機８ａ、８ｂのフック状態を調べる。その結果、外付け電話機８ａ、８ｂのうちの１台がオフフックであることが判定され、スタートキー４２が押下げられると、オフフックである外付け電話機が接続されているポートに設定されているモードにてファクシミリ送信が行われる。【選択図】      図２
2006108807.tif 000002
【特許請求の範囲】
【請求項１】
手動送信モードまたは予約送信モードのいずれかのモードが予め設定された複数のポートを介して複数の外付け電話機と接続可能であり、前記外付け電話機と電話回線を共有するファクシミリ装置であって、
前記外付け電話機がオフフックであるか否かを個別に判定するフック判定手段と、
ファクシミリ装置に入力された送信先を記憶する送信先記憶手段と、
ファクシミリ送信の対象である画像データを記憶する画像記憶手段と、
前記ファクシミリ装置と前記外付け電話機との少なくとも一方と前記電話回線との電気的な接続を切り替える接続切替手段と、
ユーザがファクシミリ送信のための操作を行ったときに、前記接続切替手段が前記外付け電話機と前記電話回線とを電気的に接続しており、かつ前記フック判定手段が前記予約送信モードを設定されたポートに接続された外付け電話機がオフフックであると判定すると、ユーザが入力した送信先を前記送信先記憶手段により記憶し、かつ送信すべき画像データを前記画像記憶手段に記憶しておき、前記フック判定手段の判定において前記外付け電話機がオンフックに転じると、前記接続切替手段は前記ファクシミリ装置と前記電話回線とを電気的に接続し、前記画像記憶手段に記憶された前記画像データを前記送信先記憶手段に記憶された送信先に送出することにより前記予約送信モードを実行する予約制御手段と、
ユーザがファクシミリ送信のための操作を行ったときに、前記接続切替手段が前記外付け電話機と前記電話回線とを電気的に接続しており、かつ前記フック判定手段が前記手動送信モードを設定されたポートに接続された外付け電話機がオフフックであると判定すると、ユーザが入力した送信先または前記電話回線が接続されている相手先へ送信すべき画像データを送出することにより前記手動送信モードを実行する手動制御手段と、
を備えることを特徴とするファクシミリ装置。
【請求項２】
前記複数のポートの各々に、前記手動送信モードと前記予約送信モードとのいずれかのモードをユーザの指示に基づいて設定するモード設定手段をさらに備えることを特徴とする請求項１記載のファクシミリ装置。
【請求項３】
前記接続切替手段が前記外付け電話機と前記電話回線とを電気的に接続しているとき、前記フック判定手段によりオフフックであると判定された複数の外付け電話機があり、当該外付け電話機が接続されたポートに設定されたモードに前記予約送信及び前記手動送信のいずれのモードも含まれるとき、前記予約制御手段あるいは手動制御手段のいずれか一方を選択することにより、ユーザの指示により予め選択されたモードに従ってファクシミリ通信を行わせる制御手段をさらに備えることを特徴とする請求項１または２にファクシミリ装置。
【請求項４】
前記画像記憶手段により前記画像データが記憶されてからの時間を計測するタイマ手段と、
予約設定時間を設定可能な予約時間設定手段と、
前記予約制御手段を第１予約制御手段として、ユーザがファクシミリ送信のための操作を行ったときに、前記接続切替手段が前記外付け電話機と前記電話回線とを電気的に接続しており、かつ前記フック判定手段が前記予約送信モードを設定されたポートに接続された外付け電話機がオフフックであると判定すると、ユーザが入力した送信先を前記送信先記憶手段により記憶し、かつ送信すべき画像データを前記画像記憶手段に記憶しておき、前記タイマ手段により計測された時間が前記予約設定時間を経過した後に、接続切替手段が前記外付け電話機と前記電話回線とを電気的に接続しており、かつ前記フック判定手段の判定において前記外付け電話機がオンフックに転じておれば、前記接続切替手段は前記ファクシミリ装置と前記電話回線とを電気的に接続し、前記画像記憶手段に記憶された前記画像データを前記送信先記憶手段に記憶された送信先に送出することにより前記予約送信モードを実行する第２予約制御手段と、
ユーザの指示により前記第１予約制御手段と前記第２予約制御手段との何れかを選択して動作させる選択手段と、を備えることを特徴とする請求項１乃至３のいずれかに記載のファクシミリ装置。
【発明の詳細な説明】
【技術分野】
【０００１】
本発明は、外付け電話と接続可能なファクシミリ装置に関する。
【背景技術】
【０００２】
従来、外付け電話機が備えられ、その外付け電話機と同一の電話回線を使用してファクシミリ通信を行うファクシミリ装置が知られている。このファクシミリ装置を用いて通信を行う場合、ファクシミリ通信が行われているときは、ファクシミリ装置が電話回線に接続されているために、外付け電話機を使用することはできなかった。また、外付け電話機を用いた音声通信が行われているときは、ファクシミリ装置のキー操作が行えず、音声通信が終了するのを待つしかなかった。
【０００３】
そこで、特許文献１においては、ファクシミリ装置等の通信装置のフック状態を変更することによって、手動送信または予約送信のいずれかの方式を選択できる技術が開示されている。その技術によれば、ファクシミリ装置の電話機をオフフックしダイヤルしたときは、手動送信のダイヤル入力と判断され、電話機と電話回線との接続が行われる。それに対して、電話機をオンフックのままでダイヤルしたときは、予約送信のダイヤル入力と判断され、相手先の電話番号が一旦メモリに記憶され、スタートキー等が押されると、電話番号が発呼される。
【特許文献１】特許番号２７７３１１９号公報
【特許文献２】特開昭５９−２２８４５５号公報
【特許文献３】特開平０５−６８１２５号公報
【発明の開示】
【発明が解決しようとする課題】
【０００４】
しかしながら、特許文献１に開示される技術では、例えば、外付け電話機がオフフックの状態にあるとき、ファクシミリ装置のテンキーを操作すると、手動送信におけるダイヤル入力と見なされて、選択信号が直接電話回線に送出される。続いて、スタートキーを操作すると、ファクシミリ装置の原稿読み取り部に原稿がセットされていれば手動送信、原稿がセットされていなければ手動受信をそれぞれ開始するため、外付け電話機による音声通信は強制的に終了させられてしまう。このように、外付け電話機を用いた音声通信中であれば、ファクシミリ通信は手動送受信という一つのモードでしか行うことができなかった。
【０００５】
また、ファクシミリ送受信中に予約送信が可能な技術は開示されている（例えば、特許文献２または３）が、外付け電話機を用いた音声通信中に予約送信が可能なものはなかった。
【０００６】
このことは、一人で一台のファクシミリ装置を使っている場合には問題にならないが、複数人で装置を共有し、かつ、電話回線をファクシミリ装置と外付け電話機とで共有している場合には大きな問題となる。
【０００７】
本発明は、このような状況に鑑みてなされたものであり、外付け電話機を用いた音声通信中に、ユーザがファクシミリ通信を行う場合であっても予約送信を可能とし、さらには手動送受信とも選択可能とすることで、一方的にその音声通信が切断されるなどの不具合をなくし、外付け電話機との円滑な使用形態が可能なファクシミリ装置を提供することを目的とする。
【課題を解決するための手段】
【０００８】
請求項１記載の発明は、手動送信モードまたは予約送信モードのいずれかのモードが予め設定された複数のポートを介して複数の外付け電話機と接続可能であり、前記外付け電話機と電話回線を共有するファクシミリ装置であって、前記外付け電話機がオフフックであるか否かを個別に判定するフック判定手段と、ファクシミリ装置に入力された送信先を記憶する送信先記憶手段と、ファクシミリ送信の対象である画像データを記憶する画像記憶手段と、前記ファクシミリ装置と前記外付け電話機との少なくとも一方と前記電話回線との電気的な接続を切り替える接続切替手段と、ユーザがファクシミリ送信のための操作を行ったときに、前記接続切替手段が前記外付け電話機と前記電話回線とを電気的に接続しており、かつ前記フック判定手段が前記予約送信モードを設定されたポートに接続された外付け電話機がオフフックであると判定すると、ユーザが入力した送信先を前記送信先記憶手段により記憶し、かつ送信すべき画像データを前記画像記憶手段に記憶しておき、前記フック判定手段の判定において前記外付け電話機がオンフックに転じると、前記接続切替手段は前記ファクシミリ装置と前記電話回線とを電気的に接続し、前記画像記憶手段に記憶された前記画像データを前記送信先記憶手段に記憶された送信先に送出することにより前記予約送信モードを実行する予約制御手段と、ユーザがファクシミリ送信のための操作を行ったときに、前記接続切替手段が前記外付け電話機と前記電話回線とを電気的に接続しており、かつ前記フック判定手段が前記手動送信モードを設定されたポートに接続された外付け電話機がオフフックであると判定すると、ユーザが入力した送信先または前記電話回線が接続されている相手先へ送信すべき画像データを送出することにより前記手動送信モードを実行する手動制御手段と、を備えることを特徴とする。
【０００９】
この構成によれば、接続切替手段が外付け電話機と電話回線とを電気的に接続していない場合にはファクシミリ通信中、またはファクシミリ装置及び外付け電話機のいずれも電話回線と電気的に接続されていないことがわかる。それと異なり、接続切替手段が外付け電話機と電話回線とを電気的に接続し、かつフック判定手段により外付け電話機がオフフックであると判定された場合には、外付け電話機を用いた音声通信中である可能性が高い。
【００１０】
そして、予約送信モードが設定されたポートに接続された外付け電話機のみがオフフックであるときにファクシミリ通信が指示されると、予約送信モードが実行可能である。まず、予約制御手段は、ユーザがファクシミリ送信のための操作を行ったときに、接続切替手段が外付け電話機と電話回線とを電気的に接続しており、かつフック判定手段が予約送信モードを設定されたポートに接続された外付け電話機がオフフックであると判定すると、ファクシミリ装置のユーザが入力した送信先と画像データを、送信先記憶手段と画像記憶手段とにそれぞれ記憶する。
【００１１】
そして、フック判定手段の判定において外付け電話機がオンフックに転じると、接続切替手段は、ファクシミリ装置と電話回線とを電気的に接続する。これにより、ファクシミリ通信が可能となるので、予約制御手段は画像記憶手段に記憶された画像データを送信先記憶手段に記憶された送信先に送出する。
【００１２】
またそれとは異なり、手動送信モードが設定されたポートに接続された外付け電話機のみがオフフックであるときにファクシミリ通信が指示されると、手動送信モードが実行可能である。つまり、手動制御手段は、手動送信モードを設定されたポートに接続された外付け電話機がオフフックであると判定すると、画像データをユーザが入力した送信先または電話回線が接続されている相手先に送出する。
【００１３】
請求項２記載の発明は、請求項１記載のファクシミリ装置であって、前記複数のポートの各々に、前記手動送信モードと前記予約送信モードとのいずれかのモードをユーザの指示に基づいて設定するモード設定手段をさらに備えることを特徴とする。
【００１４】
この構成によれば、ユーザがモード設定手段により、ポートのモードを予約送信モードまたは手動送信モードのいずれか一方に設定し得る。
【００１５】
請求項３記載の発明は、請求項１または２にファクシミリ装置であって、前記接続切替手段が前記外付け電話機と前記電話回線とを電気的に接続しているとき、前記フック判定手段によりオフフックであると判定された複数の外付け電話機があり、当該外付け電話機が接続されたポートに設定されたモードに前記予約送信及び前記手動送信のいずれのモードも含まれるとき、前記予約制御手段あるいは手動制御手段のいずれか一方を選択することにより、ユーザの指示により予め選択されたモードに従ってファクシミリ通信を行わせる制御手段をさらに備えることを特徴とする。
【００１６】
この構成によれば、まず、ユーザは予め予約送信と手動送信のいずれかを選択し、そのモードを設定しておく。そして、予約送信モード及び手動送信モードが設定されたポートに接続された外付け電話機が共にオフフックであるときに、ファクシミリ通信が指示されると、ユーザが予め選択したモードに従ってファクシミリ通信が行われる。
【００１７】
請求項４記載の発明は、請求項１乃至３のいずれかに記載のファクシミリ装置であって、前記画像記憶手段により前記画像データが記憶されてからの時間を計測するタイマ手段と、予約設定時間を設定可能な予約時間設定手段と、前記予約制御手段を第１予約制御手段として、ユーザがファクシミリ送信のための操作を行ったときに、前記接続切替手段が前記外付け電話機と前記電話回線とを電気的に接続しており、かつ前記フック判定手段が前記予約送信モードを設定されたポートに接続された外付け電話機がオフフックであると判定すると、ユーザが入力した送信先を前記送信先記憶手段により記憶し、かつ送信すべき画像データを前記画像記憶手段に記憶しておき、前記タイマ手段により計測された時間が前記予約設定時間を経過した後に、接続切替手段が前記外付け電話機と前記電話回線とを電気的に接続しており、かつ前記フック判定手段の判定において前記外付け電話機がオンフックに転じておれば、前記接続切替手段は前記ファクシミリ装置と前記電話回線とを電気的に接続し、前記画像記憶手段に記憶された前記画像データを前記送信先記憶手段に記憶された送信先に送出することにより前記予約送信モードを実行する第２予約制御手段と、ユーザの指示により前記第１予約制御手段と前記第２予約制御手段との何れかを選択して動作させる選択手段と、を備えることを特徴とする。
【００１８】
この構成によれば、選択手段により第２予約制御手段が選択されると、以下の処理が行われる。まず、画像データが記憶されるとタイマ手段はリセットされ、新たにカウントアップを開始する。そして、タイマ手段により計測された時間と予約時間設定手段により設定された予約設定時間とが比較され、計測された時間が予約設定時間を経過したとき、接続切替手段が外付け電話機と電話回線とを電気的に接続しており、かつフック判定手段の判定において外付け電話機がオンフックに転じておれば、外付け電話機のユーザは音声通信を行っていないことがわかる。続いて、第２予約制御手段により、接続切替手段がファクシミリ装置と電話回線とを電気的に接続し、画像記憶手段に記憶された画像データが送信先記憶手段に記憶された送信先に送出される。
【発明の効果】
【００１９】
請求項１記載の発明によれば、例えば、手動送信モードに設定されたポートに接続されている外付け電話機がファクシミリ装置の傍に配置され、また、予約送信モードに設定されたポートに接続されている外付け電話機はファクシミリ装置から離れた場所に配置されているとき、ファクシミリ装置の傍にある外付け電話機のユーザが音声通信を行っていて、引き続きその通信相手にファクシミリ送信を行いたい場合には、電話回線を捕捉したまま、手動送信モードにより送信を行うことができる。
【００２０】
また、ファクシミリ装置から離れた場所にある外付け電話機のユーザが音声通信を行っているときは、別のユーザがファクシミリ送信を行おうとすると、予約送信モードに設定される。そのため、一方的にその音声通信が切断されるなどの不具合がなくなる。これにより、外付け電話機を用いた音声通信中に、ユーザがファクシミリ通信を行う場合であっても予約送信を可能とすることで、外付け電話機とファクシミリ装置との円滑な使用形態が可能となる。
【００２１】
請求項２記載の発明によれば、ユーザがポート毎に予約送信モードか、あるいは手動送信モードかを設定できるので、例えば、配置換えなどで複数の外付け電話機のファクシミリ装置に対する位置関係が変わってしまっても、再度、ポートのモードを最適なモードに設定し直すことができる。
【００２２】
請求項３記載の発明によれば、例えば、２台の外付け電話機があり、手動送信モードに設定されたポートに接続されている外付け電話機がファクシミリ装置のすぐ傍に配置され、あるいはファクシミリ装置に備えられて、また、予約送信モードに設定されたポートに接続されている外付け電話機はファクシミリ装置から離れた場所に配置されているとする。このような場合、ユーザは手動送信モードを選択しておけばよい。つまり、２台ともオフフックであるとし、そのときにファクシミリ通信の要求があった場合、ファクシミリ通信を行おうとしているのはファクシミリ装置のすぐ傍に配置された外付け電話機を使用しているユーザであることがわかる。したがって、この場合には、電話回線を捕捉したまま、手動送信モードにより送信を行うことができるので、効率がよい。
【００２３】
それに対して、オフフックしている外付け電話機が２台ともファクシミリ装置から離れた場所に配置されているとする。このような場合、ユーザは予約送信モードを選択しておけばよい。このときにファクシミリ通信の要求があった場合、ファクシミリ通信を行おうとしているのは、いずれの外付け電話機のユーザでもないことがわかる。この場合には、予約送信モードにより送信を行うことができるので、一方的に音声通信が切断されるなどの不具合がなくなる。つまり、ユーザがファクシミリ通信を行う場合であっても予約送信と手動送受信とを選択可能とすることで、外付け電話機とファクシミリ装置との円滑な使用形態が可能となる。
【００２４】
請求項４記載の発明によれば、すぐにファクシミリ通信を行うのではなく、ユーザが設定した時間の後に行うことができるので、送信者または受信者の都合に合わせたファクシミリ通信が可能となる。さらに、設定した時間が経過したときにユーザが音声通信を行っている場合にはファクシミリ通信を行わないので、音声通信を切断せずに済む。そのため、外付け電話機とファクシミリ装置との円滑な使用形態が可能となる。
【発明を実施するための最良の形態】
【００２５】
以下、本発明に係るファクシミリ装置の一例として、ファクシミリ機能を備えた複合機について図面を参照しながら説明する。なお、各図において同一の符号を付した構成または処理は、同一の構成または処理であることを示し、その詳しい説明を省略する。
【００２６】
図１は、本発明の一実施形態におけるファクシミリ装置の内部構成を概略的に示す側面図である。このファクシミリ装置は、ファクシミリ機能に加えて、コピー機能、プリンタ機能、及びスキャナ機能等の多機能を兼ね備えた複合機１として構成されている。複合機１は、本体部２と、本体部２の左方に配設されたスタックトレイ３と、本体部２の上部に配設された原稿読取部５と、原稿読取部５の上方に配設された原稿給送部６とを有している。
【００２７】
また、複合機１のフロント部には、操作部４が設けられている。この操作部４には、ユーザ（操作者）が印刷実行指示や、画像データの送受信を指示するためのスタートキー（通信開始手段）４１と、ファクシミリ送信先の番号や、印刷部数等を入力するためのテンキー４２と、各種複写動作の操作ガイド情報等を表示し、これら各種設定入力用にタッチパネル機能を有する液晶ディスプレイ等からなり、複合機１の操作に必要な各種操作メッセージや登録文書の各種情報が表示される表示部４３と、表示部４３で設定された設定内容等をリセットするリセットキー４４と、実行中の印刷（画像形成）動作を停止させるためのストップキー４５と、コピー機能、プリンタ機能、スキャナ機能及びファクシミリ機能を切り替えるための機能切替キー４７が備えられている。
【００２８】
なお、表示部４３は、タッチパネル機能を備え、ユーザが当該タッチパネルに接触することによって必要な指示を入力できる構成を有することが好ましい。この表示部４３は、複合機１のユーザが、ファクシミリ通信を行う際のモードを設定可能なモード設定手段としての機能を有している。さらに、表示部４３は、複合機１のユーザが、予約送信を行う際の予約設定時間を設定可能な予約時間設定手段としての機能も有している。ファクシミリ機能を用いて画像データを送信する場合には、ユーザは、この操作部４を操作することにより、通信先をファクシミリ番号で指定したり、ユーザが予め登録している短縮ファクシミリ番号で指定したりすることができる。
【００２９】
さらに、複合機１には、回線を介して２台の外付け電話機８ａ、８ｂが備えられている。この外付け電話機８ａ、８ｂは、音声通信（電話）を行う相手先の電話番号等を入力するためのダイヤルキー８１ａ、８１ｂをそれぞれ備えている。そして、複合機１は２本の電話回線（図略）に接続されており、ファクシミリ通信が行われていないときは、外付け電話機８ａ、８ｂを用いて、外部との音声通信が可能な構成となっている。
【００３０】
原稿読取部５は、ＣＣＤ（Charge Coupled Device）センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動させられ、原稿画像を走査しつつ画像データを取得する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００３１】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００３２】
また、原稿給送部６は、その前面側が上方に移動可能となるように本体部２に対して回動自在に設けられている。原稿給送部６の前面側を上方に移動させて原稿台５２の上面を開放することにより、原稿台５２の上面に読み取り原稿、例えば見開き状態にされた書籍等をユーザが載置できるようになっている。
【００３３】
本体部２は、複数の給紙カセット２１と、給紙カセット２１から記録紙を１枚ずつ繰り出して記録部７へ搬送する給紙ローラ２２と、給紙カセット２１から搬送されてきた記録紙に画像を形成する記録部７とを備える。
【００３４】
記録部７は、スキャナ部５１で取得された画像データに基づきレーザ光等を出力して感光体ドラム７３を露光する光学ユニット７２と、感光体ドラム７３上にトナー像を形成する現像部７４と、感光体ドラム７３上のトナー像を記録紙に転写する転写部７１と、トナー像が転写された記録紙を加熱してトナー像を記録紙に定着させる定着部７５と、記録部７内の用紙搬送路中に設けられ、記録紙をスタックトレイ３または排出トレイ３１まで搬送する搬送ローラ３２、３３等とを備える。
【００３５】
また、記録紙の両面に画像を形成する場合は、記録部７で記録紙の一方の面に画像を形成した後、この記録紙を排出トレイ３１側の搬送ローラ３２にニップされた状態とする。この状態で搬送ローラ３２を反転させて記録紙をスイッチバックさせ、記録紙を用紙搬送路Ｌに送って記録部７の上流域に再度搬送し、記録部７により他方の面に画像を形成した後、記録紙をスタックトレイ３または排出トレイ３１に排出する。
【００３６】
図２は、複合機１の概略構成を示す機能ブロック図である。複合機１は、装置全体の動作制御を司る制御部１０を備えている。制御部１０には、スキャナ部５１及び原稿台５２等からなる原稿画像の読み取りが可能な原稿読取部５と、用紙搬送部３０１、画像形成部３０２、転写部３０３及び定着部３０４等からなる記録部３０とが接続されている。また、制御部１０には、原稿読取部５で読み取られた画像データ等が一時的に保存される画像メモリ（画像記憶手段）４０と、大量の画像データを保存可能な記憶容量を有する大容量のＨＤＤ５０と、ファクシミリ装置に入力された送信先を記憶する送信先記憶部（送信先記憶手段）９０とが接続されている。
【００３７】
画像処理部６０は、原稿読取部５による原稿読み取り時には、原稿読取部５から出力されるアナログ画像をデジタル画像に変換し、画質を向上させる画像処理を施した後、圧縮画像に変換する。なお、本明細書では説明を簡潔なものとするために、画像データをも適宜、画像と表現する。変換された圧縮画像は画像メモリ４０に書き込まれる。制御部１０は、画像メモリ４０に書き込まれた圧縮画像を、文書管理の対象となるファイルデータとしてＨＤＤ５０に格納する。
【００３８】
また、登録文書の印刷時には、ＨＤＤ５０またはネットワーク上の各コンピュータから、印刷対象のファイルデータ（圧縮画像）が画像メモリ４０に書き込まれ、画像処理部６０は、当該圧縮されたファイルデータを伸張処理し、出力状態に応じた画像処理を施し、例えばレーザ露光の場合には、アナログの変調信号であるレーザ信号に変換する。記録部３０（画像形成部３０２）は、例えばアナログ変調されたレーザ信号に基づいて印刷を実行する。
【００３９】
制御部１０は、ＣＰＵ（Central Processing Unit；中央演算処理部）、このＣＰＵの動作を規定するプログラムを格納するＲＡＭ（Random Access Memory）、あるいはＲＯＭ（Read Only Memory）等の記憶部を有している。すなわち、制御部１０はコンピュータを備えている。それにより、制御部１０は、スキャナコントローラ１０１、ファクシミリコントローラ１０２、プリンタコントローラ１０３、コピーコントローラ１０４及びネットワークコントローラ１０５として機能する。
【００４０】
ＨＤＤ５０、制御部１０内のＲＡＭまたはＲＯＭは、予約送信を行う際の予約設定時間を記憶可能な構成である。また、送信先記憶部９０の機能は、ＨＤＤ５０、制御部１０内のＲＡＭまたはＲＯＭに持たせる構成であってもよい。
【００４１】
スキャナ部コントローラ１０１は、スキャナ動作に必要な各部の動作制御を行うものである。
【００４２】
ファクシミリコントローラ１０２は、制御手段、第１及び第２予約制御手段、さらには手動制御手段としての機能を有し、ファクシミリ動作に必要な各部の動作制御を行うものであり、ファクシミリ通信に必要なデータの調整を行うファクシミリ通信部７０を制御する。
【００４３】
ファクシミリ通信部７０は、符号・復号化部（ＣＯＤＥＣ；コーデック）７０１、モデム７０２及びＮＣＵ（Network Control Unit）７０３を備えている。ＮＣＵ７０３は、データを送受信する相手、すなわち通信先であるファクシミリ装置との電話回線を通じた接続を制御するものである。モデム７０２は、ファクシミリコントローラ１０２から符号・復号化部７０１を通じて送られるデジタルの送信信号をアナログの変調信号へ変換する（すなわち、変調する）とともに、ＮＣＵ７０３を通じて入力されるアナログの変調信号である受信信号を復調し、デジタル信号へ変換するものである。
【００４４】
モデム７０２は、外付け電話機８から送出される種々の制御信号を検出可能な構成であり、制御信号検出手段として機能する。特にＤＴＭＦ信号が送出されたか否か、さらには送出されたＤＴＭＦ信号が示す番号を判定可能である。また、このモデム７０２は、外付け電話機がオフフックされているときに、外付け電話機の所定のキーを押下げることにより送出されるＤＴＭＦ信号を受信するＤＴＭＦ検出手段としての機能も有する。
【００４５】
符号・復号化部７０１は、ファクシミリコントローラ１０２から送られる送信信号を符号化してモデム７０２を介してＮＣＵ７０３へ送るとともに、ＮＣＵ７０３からモデム７０２を介して送られてくる受信信号を復号化してファクシミリコントローラ１０２へ伝える。符号・復号化部７０１は、例えば、画像データを一次元符号化方式（ＭＨ）で復号化するものと、二次元符号化方式（ＭＲ）で復号化するものとが選択的に使用可能なように構成されている。なお、ＭＲ方式に代えて、あるいはＭＲ方式とともに、先頭ラインの前に仮想の白ラインがあると仮定して、その頁のラインをすべてＭＲ方式で符号化するＭＭＲ方式によるデータを復号化する方式を採用することもできる。
【００４６】
また、制御部１０には、フック判定部（フック判定手段）７３０ａ、７３０ｂが接続されている。このフック判定部７３０ａ、７３０ｂは、それぞれに接続された外付け電話機８ａ、８ｂがオフフックか、オンフックかを判定するための機能部である。
【００４７】
さらに、制御部１０は、ＦＡＸ／ＴＥＬ切替部（接続切替手段）７１０を介して公衆の電話回線及び外付け電話機８ａ、８ｂと接続されている。ＦＡＸ／ＴＥＬ切替部７１０は、例えば、電気的なリレーからなり、制御部１０の指示により、電話回線を複合機１であるファクシミリ装置（ＦＡＸ）側、または外付け電話機（ＴＥＬ）側に切り替えて、電話回線との電気的な接続を可能とするものである。
【００４８】
例えば、ＦＡＸ／ＴＥＬ切替部７１０をファクシミリ装置側に切り替えると、外付け電話機８ａ、８ｂは電話回線から切り離され、ＮＣＵ７０３が電話回線に接続される。また、ＦＡＸ／ＴＥＬ切替部７１０を外付け電話機側に切り替えると、外付け電話機８ａ、８ｂ及びＮＣＵ７０３が共に電話回線に接続される。これにより、ＦＡＸ／ＴＥＬ切替部７１０が外付け電話機側に切り替えられているときでも、モデム７０２は、ＮＣＵ７０３を介して外付け電話機８ａ、８ｂからのＤＴＭＦ信号等を検出することが可能となる。
【００４９】
より詳しくは、外付け電話機８ａ、８ｂのユーザが、音声通信を行うためにハンドセットをオフフックすると直流電流が発生し、フック判定部７３０ａ、７３０ｂはその直流電流を検出し、制御部１０に検出信号を出力する。検出信号を受信した制御部１０は、ＦＡＸ／ＴＥＬ切替部７１０を制御し、接点を外付け電話機側に切り替えることで、外付け電話機８ａ、８ｂと電話回線とを接続させる。
【００５０】
また、ファクシミリ通信を行う際には、制御部１０は、操作部４のスタートキー４２が押し下げられたことを検出すると、ＦＡＸ／ＴＥＬ切替部７１０を制御し、接点をファクシミリ装置側に切り替える。これにより、ファクシミリ通信部７０を介して送られてきた画像データを、ＦＡＸ／ＴＥＬ切替部７１０を介して電話回線に出力することが可能となる。
【００５１】
また、制御部１０は、複合機１のユーザが予め設定したモードを記憶するモード記憶部７４０と接続されている。このモードには、例えば、予約送信モード、手動送信モード等がある。さらに、制御部１０は、例えば、画像データが画像メモリ４０に記憶されてからの時間を計測するタイマ部（タイマ手段）７５０と接続されている。
【００５２】
複合機１を用いることにより、原稿読取部５で読み取られた画像データを、ファクシミリ通信部１７０を通じて通信先のファクシミリ装置へ送信することができ、通信先からファクシミリ通信部７０を通じて受信した画像データを記録部３０によって記録紙に印刷することができる。すなわち、複合機１は通常のファクシミリ装置が有する通信機能を実現する。複合機１は、それに加えて、ネットワーク上のコンピュータからネットワークＩ／Ｆ（インタフェース）部８０を通じて受信した画像データを、ファクシミリ通信部７０を通じて通信先のファクシミリ装置へ送信することも、逆に通信先からファクシミリ通信部７０を通じて受信した画像データを、ネットワークＩ／Ｆ部８０を通じてネットワーク上のコンピュータへ配信することも可能にする。複合機１はさらに、ＨＤＤ５０等に蓄積される画像データを、ファクシミリ通信部７０を通じて通信先のファクシミリ装置へ送信することも、逆に通信先からファクシミリ通信部７０を通じて受信した画像データを、ＨＤＤ５０等に蓄積することも可能にする。
【００５３】
コピーコントローラ１０４は、コピー動作に必要な各部の動作制御を行うものである。そして、プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ（インタフェース）部（図略）と、単一の信号線を用いて1ビットずつ順次データを送るシリアル伝送で外部機器と接続するシリアルＩ／Ｆ（インタフェース）部（図略）とが接続されている。
【００５４】
ネットワークコントローラ１０５は、本複合機１とネットワーク上のコンピュータ、さらには、インターネット上のサイトとの間で行われるデータ送受信を制御するものである。ネットワークコントローラ１０５は、ネットワークＩ／Ｆ部８０に、外部とデータを送受信させる。
【００５５】
操作部４は、複合機１の操作に必要な各種の指示をユーザが入力するためのものである。操作部４は、文書の印刷部数等が入力されるテンキー４１と、押下げることで印刷実行指示やファクシミリ送信指示等が行われるスタートキー４２、さらには各種情報が表示される表示部４３とを有している。
【００５６】
制御部１０としてのコンピュータが読み取ることによってこれらの機能を実現するための上記プログラムは、ＨＤＤ（ハードディスクドライブ）５０等の不揮発性かつ大容量の外部記憶装置に格納しておき、上記ＲＡＭ等の主記憶装置に適宜転送することにより、ＣＰＵによる実行に供することも可能である。上記プログラムは、ＲＯＭあるいはＣＤ−ＲＯＭ等の記録媒体を通じて供給することも、ネットワークＩ／Ｆ部８０に接続されるネットワーク等の伝送媒体を通じて供給することも可能である。プログラムがＲＯＭを通じて供給される場合には、当該プログラムが記録されたＲＯＭを制御部１０に搭載することにより、ＣＰＵによる実行に供することができる。プログラムがＣＤ−ＲＯＭを通じて供給される場合には、ＣＤ−ＲＯＭ読み取り装置を、例えばパラレルインタフェース部へ接続し、当該プログラムをＲＡＭあるいはＨＤＤ５０へ転送することにより、ＣＰＵによる実行に供することができる。また、プログラムが伝送媒体を通じて供給される場合には、ネットワークＩ／Ｆ部８０等を通じて受信したプログラムをＲＡＭあるいはＨＤＤ５０へ転送することにより、ＣＰＵによる実行に供することができる。
【００５７】
［実施形態］
本実施形態においては、２台の外付け電話機を、第１外付け電話機（第１電話機）８ａ、第２外付け電話機（第２電話機）８ｂとし、それらに接続されているフック判定部を、それぞれ第１フック判定部７３０ａ、第２フック判定部７３０ｂとする。図３は、本発明の一実施形態に係るファクシミリ装置の通信切り替え処理の流れを示すフローチャートである。
【００５８】
まず、複合機（ファクシミリ装置）１のユーザは、例えば表示部４３等を操作し、第１電話機８ａ及び第２電話機８ｂが接続されているポートに、それぞれ予約送信または手動送信のいずれかのモードを設定しておく（ステップＳ１０１）。このモード設定は、予約送信または手動送信を設定可能なキーを別個設ける構成であっても構わない。さらに、例えば表示部４３等を操作し、予約送信または手動送信のいずれのモードを優先するかを設定しておく。それら設定されたモード及びいずれのモードを優先するかは、共にモード記憶部７４０に記憶されている。
【００５９】
本実施形態においては、第１電話機８ａがファクシミリ装置の傍に配置され、手動送信モードに設定されたポートに接続されているとし、また、第２電話機８ｂはファクシミリ装置から離れた場所に配置され、予約送信モードに設定されたポートに接続されているとする。
【００６０】
そして、制御部１０内の接続状態検出部１１１は、ＦＡＸ／ＴＥＬ切替部７１０の接続状態を調べ、その時点で、電話回線がＦＡＸ側に接続されているか否かを判定する（ステップＳ１０２）。その結果、電話回線がＦＡＸ側に接続されていると判定される（ステップＳ１０２でＹｅｓ）と、他のユーザによるファクシミリ通信中であることがわかるので、予約送信モードが設定される（ステップＳ１０３）。
【００６１】
それに対して、ＦＡＸ側に接続されていないと判定された場合（ステップＳ１０２でＮｏ）は、電話回線がＴＥＬ側に接続されている場合と、ＴＥＬ及びＦＡＸのいずれにも接続されていない場合との２通りがある。そのため、続いて、外付け電話機８ａ、８ｂを用いた音声通信（電話）が行われているか否かの判定が行われる。これは、フック判定部７３０ａ、７３０ｂが外付け電話機８ａ、８ｂのフック状態をそれぞれ調べ、オフフックか否かを検出することで実行される（ステップＳ１０４）。その結果、第１電話機８ａ及び第２電話機８ｂが共にオンフックであると判定される（ステップＳ１０４でＮｏ）と、音声通信が行われていない通常の待機状態であることがわかる。そのため、ファクシミリ送信を行うユーザの判断に応じて、ファクシミリ通信時に、手動送信または予約送信のいずれかを設定することができる（ステップＳ１０５）。これは、例えば、表示部４３等を操作し、ユーザが希望するモードを選択するような構成である。
【００６２】
また、２台の外付け電話機のうち少なくとも１台がオフフックであると判定される（ステップＳ１０４でＹｅｓ）と、制御部１０は、オフフックしている外付け電話機が第１電話機８ａか、あるいは第２電話機８ｂかを判定する。そして、制御部１０は、モード記憶部７４０を参照して、オフフックしている外付け電話機が接続されているポートに設定されているモードが予約送信モードか、あるいは手動送信モードかを判定する（ステップＳ１０６）。本実施形態においては、オフフックしている外付け電話機が第１電話機８ａであれば、手動送信が設定されたポートに接続されている（ステップＳ１０６で第１）ため、手動送信が設定される（ステップＳ１０７）。
【００６３】
これにより、例えば、ファクシミリ装置の傍にある第１電話機８ａのユーザが音声通信を行っていて、引き続きその通信相手にファクシミリ送信を行いたい場合に、電話回線を捕捉したまま、手動送信モードにより送信を行うことができる。
【００６４】
それに対して、ステップＳ１０６において、オフフックしている外付け電話機が第２電話機８ｂであり、ポートに設定されているモードが予約送信モードであることが判定される（ステップＳ１０６で第２）と、予約送信が設定される（ステップＳ１０９）。
【００６５】
これにより、例えば、ファクシミリ装置から離れた場所にある第２電話機８ｂのユーザが音声通信を行っているとき、別のユーザがファクシミリ送信を行おうとすると、予約送信モードに設定される。そのため、一方的にその音声通信が切断されるなどの不具合がなくなり、外付け電話機とファクシミリ装置との円滑な使用形態が可能となる。
【００６６】
以上とは異なり、ステップＳ１０６において、第１電話機８ａ及び第２電話機８ｂが共にオフフックであると判定される（ステップＳ１０６で第１及び第２）と、ステップＳ１２０の処理に移る。
【００６７】
図４は、本発明の一実施形態に係るファクシミリ装置において、第１電話機８ａ及び第２電話機８ｂが共にオフフックであった場合の通信切り替え処理の流れを示すフローチャートである。まず、制御部１０は、モード記憶部７４０を参照して、予約送信モードと手動送信モードのどちらを優先すると設定されているかを調べる（ステップＳ１２１）。その結果、手動送信を優先すると設定されている場合（ステップＳ１２１でＹｅｓ）は、手動送信が設定される（ステップＳ１２２）。それに対して、予約送信を優先すると設定されている場合（ステップＳ１２１でＮｏ）は、第２の予約送信が設定される（ステップＳ１２３）。
【００６８】
次に、図５及び図６を用いて、手動送信（図３におけるステップＳ１０７）及び予約送信（図３におけるステップＳ１０９）における処理の流れを説明する。なお、この手動送信及び予約送信の流れは、以下の他の実施形態にも適用可能である。
【００６９】
まず、手動送信について説明する。図５は手動送信の処理の流れを示すフローチャートである。まず、原稿給送部６の前面側を上方に移動させて原稿台５２の上面を開放し、その上面にファクシミリ送信したい原稿を載置する（ステップＳ２０１）。
【００７０】
そして、スタートキー４２が押下げられる（ステップＳ２０３でＹｅｓ）と、原稿台５２に載置された原稿の画像データは、スキャナ部５１により読み取られ、当該画像データは画像メモリ４０に一時的に記憶される（ステップＳ２０４）。続いて、画像メモリ４０に記憶された画像データが、現在音声通信を行っている相手先へと送信される（ステップＳ２０５）。また、ステップＳ２０１において原稿台５２に原稿をセットしなかった場合には、手動受信が可能である。
【００７１】
次に、予約送信について説明する。図６は予約送信の処理の流れを示すフローチャートである。まず、原稿台５２の上面にファクシミリ送信したい原稿を載置する（ステップＳ３０１）。続いて、ユーザは、例えばテンキー４１等を操作し、送信先のファクシミリ番号を入力する（ステップＳ３０２）。このテンキーによる入力は送信先の入力として扱われ、入力されたファクシミリ番号は送信先記憶部９０に記憶される。
【００７２】
そして、スタートキー４２が押下げられる（ステップＳ３０３でＹｅｓ）と、原稿台５２に載置された原稿の画像データは、スキャナ部５１により読み取られ、当該画像データは画像メモリ４０に一時的に記憶される（ステップＳ３０４）。
【００７３】
続いて、フック判定部７３０は、外付け電話機８のフック状態を調べ、オフフックか否かを判定する（ステップＳ３０５）。その結果、オフフックであると判定される（ステップＳ３０５でＹｅｓ）と、外付け電話機８（本実施形態においては第２電話機８ｂ）のユーザがまだ音声通信中であるので、ファクシミリ通信は行えない。そして、外付け電話機８がオンフックであると判定された（ステップＳ３０５でＮｏ）時点で、外付け電話機８のユーザが音声通信を終了したことがわかるので、制御部１０はＦＡＸ／ＴＥＬ切替部７１０を制御し、電話回線をファクシミリ装置側に接続する（ステップＳ３０６）。これにより、ファクシミリ送信可能となり、画像メモリ４０に記憶された画像データが、送信先記憶部９０に記憶された送信先へと送信される（ステップＳ３０７）。
【００７４】
以上説明した予約送信は、第２電話機８ｂのみがオフフックである場合であるが、第１電話機８ａ及び第２電話機８ｂが共にオフフックである場合（図４のステップＳ１２３）には、その２台の電話機が共にオンフックになるのを待つ必要がある。
【００７５】
図７は第２の予約送信の処理の流れを示すフローチャートである。まず、原稿台５２の上面にファクシミリ送信したい原稿を載置する（ステップＳ４０１）。続いて、ユーザは、例えばテンキー４１等を操作し、送信先のファクシミリ番号を入力する（ステップＳ４０２）。このテンキーによる入力は送信先の入力として扱われ、入力されたファクシミリ番号は送信先記憶部９０に記憶される。
【００７６】
そして、スタートキー４２が押下げられる（ステップＳ４０３でＹｅｓ）と、原稿台５２に載置された原稿の画像データは、スキャナ部５１により読み取られ、当該画像データは画像メモリ４０に一時的に記憶される（ステップＳ４０４）。
【００７７】
続いて、第１フック判定部７３０ａは、第１電話機８ａのフック状態を調べ、オフフックか否かを判定する（ステップＳ４０５）。その結果、オフフックであると判定される（ステップＳ４０５でＹｅｓ）と、第１電話機８ａのユーザがまだ音声通信中であるので、ファクシミリ送信は行わない。そして、第１電話機８ａがオンフックであると判定される（ステップＳ４０５でＮｏ）と、続いて第２フック判定部７３０ｂは、第２電話機８ｂのフック状態を調べる（ステップＳ４０６）。その結果、オフフックであると判定される（ステップＳ４０６でＹｅｓ）と、第２電話機８ｂのユーザがまだ音声通信中であるので、ファクシミリ送信は行わない。そして、第１電話機８ａ及び第２電話機８ｂが共にオンフックであると判定された（ステップＳ４０６でＮｏ）時点で、第１電話機８ａ及び第２電話機８ｂのユーザが音声通信を終了したことがわかるので、制御部１０は、ＦＡＸ／ＴＥＬ切替部７１０を制御し、電話回線をファクシミリ装置側に接続する（ステップＳ４０７）。これにより、ファクシミリ送信可能となり、画像メモリ４０に記憶された画像データが、送信先記憶部９０に記憶された送信先へと送信される（ステップＳ４０８）。
【００７８】
本実施形態においては、ファクシミリ装置の傍にある第１電話機が手動送信モードに、ファクシミリ装置から離れた場所にある第２電話機が予約送信モードにそれぞれ設定されているとして説明を行ったが、それに限られることなく、第１電話機が予約送信モードに、第２電話機が手動送信モードにそれぞれ設定されていても構わない。
【００７９】
また、本実施形態においては、ファクシミリ装置に接続された外付け電話機は２台であるとして説明を行ったが、それに限られることなく、３台以上の外付け電話機が接続されていてもよい。
【００８０】
以上説明した本実施形態によれば、例えば、手動送信モードに設定されたポートに接続されている外付け電話機がファクシミリ装置の傍に配置され、また、予約送信モードに設定されたポートに接続されている外付け電話機はファクシミリ装置から離れた場所に配置されているとする。このとき、ファクシミリ装置の傍にある外付け電話機のユーザが音声通信を行っていて、引き続きその通信相手にファクシミリ送信を行いたい場合には、電話回線を捕捉したまま、手動送信モードにより送信を行うことができる。
【００８１】
また、ファクシミリ装置から離れた場所にある外付け電話機のユーザが音声通信を行っているときは、別のユーザがファクシミリ送信を行おうとすると、予約送信モードに設定される。そのため、一方的にその音声通信が切断されるなどの不具合がなくなる。これにより、外付け電話機を用いた音声通信中に、ユーザがファクシミリ通信を行う場合であっても予約送信を可能とし、さらには手動送受信とも選択可能とすることで、外付け電話機とファクシミリ装置との円滑な使用形態が可能となる。
【００８２】
さらに本実施形態によれば、ユーザがポート毎に予約送信モードか、あるいは手動送信モードかを設定できるので、例えば、配置換えなどで複数の外付け電話機のファクシミリ装置に対する位置関係が変わってしまっても、再度、ポートのモードを最適なモードに設定し直すことができる。
【００８３】
さらに本実施形態によれば、例えば、２台の外付け電話機があり、手動送信モードに設定されたポートに接続されている外付け電話機がファクシミリ装置のすぐ傍に配置され、あるいはファクシミリ装置に備えられて、また、予約送信モードに設定されたポートに接続されている外付け電話機はファクシミリ装置から離れた場所に配置されているとする。このような場合、ユーザは手動送信モードを選択しておけばよい。つまり、２台ともオフフックであるとし、そのときにファクシミリ通信の要求があった場合、ファクシミリ通信を行おうとしているのはファクシミリ装置のすぐ傍に配置された外付け電話機を使用しているユーザであることがわかる。したがって、この場合には、電話回線を捕捉したまま、手動送信モードにより送信を行うことができるので、効率がよい。
【００８４】
それに対して、オフフックしている外付け電話機が２台ともファクシミリ装置から離れた場所に配置されているとする。このような場合、ユーザは予約送信モードを選択しておけばよい。このときにファクシミリ通信の要求があった場合、ファクシミリ通信を行おうとしているのは、いずれの外付け電話機のユーザでもないことがわかる。この場合には、予約送信モードにより送信を行うことができるので、一方的に音声通信が切断されるなどの不具合がなくなり、外付け電話機とファクシミリ装置との円滑な使用形態が可能となる。
【００８５】
［他の好ましい実施形態］
（Ａ）以上説明した実施形態における第２の予約送信は、図７を用いて説明したように、第１電話機８ａ及び第２電話機８ｂがオンフックされると自動的に、記憶されている送信先へ画像データが送信されるように構成されていた。しかしながら、本発明の実施形態はそれに限られることなく、ユーザが設定した所定時間経過後に送信されるように構成することも可能である。また、前述の第２の予約送信（第１予約制御手段の一実施例）と本実施形態（第２予約制御手段の一実施例）とのいずれを選択するかは、例えば、ユーザが表示部（選択手段）４３を操作して行うことが可能である。
【００８６】
図８は、本発明の実施形態に係るファクシミリ装置の予約送信処理の変形例の流れを示すフローチャートである。まず、原稿台５２の上面にファクシミリ送信したい原稿を載置する（ステップＳ５０１）。続いて、ユーザは、例えばテンキー４１等を操作し、送信先のファクシミリ番号を入力する（ステップＳ５０２）。このテンキーによる入力は送信先の入力として扱われ、入力されたファクシミリ番号は送信先記憶部９０に記憶される。
【００８７】
そして、スタートキー４２が押下げられる（ステップＳ５０３でＹｅｓ）と、原稿台５２に載置された原稿の画像データは、スキャナ部５１により読み取られ、当該画像データは画像メモリ４０に一時的に記憶される（ステップＳ５０４）。また、画像データが画像メモリ４０に記憶されると、制御部１０はタイマ部７５０のカウンタをリセットし、新たにカウント作業を開始させる（ステップＳ５０５）。
【００８８】
次に、制御部１０はタイマ部７５０を参照し、所定時間（予約設定時間）が経過したか否かを判定する（ステップＳ５０６）。これは、例えば、ファクシミリ装置のユーザが、所望の時間を設定するためのもので、その予約設定時間は事前に設定され、例えばＨＤＤ５０等に記憶されている。つまり、制御部１０は、このＨＤＤ５０から設定されている予約設定時間を読み取り、タイマ部７５０でカウントされた時間がその予約設定時間より短いか否かを判定する。
【００８９】
その結果、所定時間が経過したと判定される（ステップＳ５０６でＹｅｓ）と、続いて第１フック判定部７３０ａは、第１電話機８ａのフック状態を調べ、オフフックか否かを判定する（ステップＳ５０７）。その結果、オフフックであると判定される（ステップＳ５０７でＹｅｓ）と、第１電話機８ａのユーザがまだ音声通信中であるので、ファクシミリ送信は行わない。そして、第１電話機８ａがオンフックであると判定される（ステップＳ５０７でＮｏ）と、続いて第２フック判定部７３０ｂは、第２電話機８ｂのフック状態を調べる（ステップＳ５０８）。その結果、オフフックであると判定される（ステップＳ５０８でＹｅｓ）と、第２電話機８ｂのユーザがまだ音声通信中であるので、ファクシミリ送信は行わない。そして、第１電話機８ａ及び第２電話機８ｂが共にオンフックであると判定された（ステップＳ５０８でＮｏ）時点で、第１電話機８ａ及び第２電話機８ｂのユーザが音声通信を終了したことがわかるので、制御部１０は、ＦＡＸ／ＴＥＬ切替部７１０を制御し、電話回線をファクシミリ装置側に接続する（ステップＳ５０９）。これにより、ファクシミリ送信可能となり、画像メモリ４０に記憶された画像データが、ステップＳ１０２及びステップＳ１２２において入力された宛先へと送信される（ステップＳ５１０）。
【００９０】
また、本実施形態においては、タイマ部７５０に時計機能を持たせ、ステップＳ５０６の代わりに所定の時刻になったら予約送信を継続するように構成することも可能である。
【００９１】
本実施形態は、図７を用いて説明した第２の予約送信の変形例であるが、図６を用いて説明した予約送信に適用することも可能である。その場合には、図８のステップＳ５０７を省けばよい。
【００９２】
以上説明した本実施形態においては、すぐにファクシミリ通信を行うのではなく、ユーザが設定した時間の後に行うことができるので、送信者または受信者の都合に合わせたファクシミリ通信が可能となる。さらに、設定した時間が経過したときにユーザが音声通信を行っている場合にはファクシミリ通信を行わないので、音声通信を切断せずに済む。そのため、外付け電話機とファクシミリ装置との円滑な使用形態が可能となる。
【図面の簡単な説明】
【００９３】
【図１】本発明の一実施形態に係るファクシミリ装置の概略内部側面図である。
【図２】本発明の一実施形態に係るファクシミリ装置の概略構成を示す機能ブロック図である。
【図３】本発明の一実施形態に係るファクシミリ装置の通信切り替え処理の流れを示すフローチャートである。
【図４】本発明の一実施形態に係るファクシミリ装置において、第１及び第２外付け電話機が共にオフフックであった場合の通信切り替え処理の流れを示すフローチャートである。
【図５】本発明の一実施形態に係るファクシミリ装置の手動送信処理の流れを示すフローチャートである。
【図６】本発明の一実施形態に係るファクシミリ装置の予約送信処理の流れを示すフローチャートである。
【図７】本発明の一実施形態に係るファクシミリ装置の第２の予約送信処理の流れを示すフローチャートである。
【図８】本発明の実施形態に係るファクシミリ装置の第２の予約送信処理の変形例の流れを示すフローチャートである。
【符号の説明】
【００９４】
１  複合機（ファクシミリ装置）
１０  制御部
１０２  ファクシミリコントローラ
４０  画像メモリ
４１  テンキー
４２  スタートキー
４３  表示部
５０  ＨＤＤ
７０  ファクシミリ通信部
７０２  モデム
７０３  ＮＣＵ
７１０  ＦＡＸ／ＴＥＬ切替部
７３０ａ  第１フック判定部
７３０ｂ  第２フック判定部
７４０  モード記憶部
７５０  タイマ部
８ａ  第１の外付け電話機
８ｂ  第２の外付け電話機
８１ａ、ｂ  ダイヤルキー
【図１】
2006108807.tif 000003
【図２】
2006108807.tif 000004
【図３】
2006108807.tif 000005
【図４】
2006108807.tif 000006
【図５】
2006108807.tif 000007
【図６】
2006108807.tif 000008
【図７】
2006108807.tif 000009
【図８】
2006108807.tif 000010